(57)【要約】【課題】  多くの通信回線を収容することができると共に、寸法の増大を最小限に抑制する。【解決手段】  通信回線から侵入してくる過電圧・過電流が通信機器に流入することを防止する保安器サブモジュールにおいて、入回線接続用端子として用いられ並列された複数のスリット端子と、前記スリット端子を保持するスリットハウジングと、前記スリット端子に対して電気的に接続された保安素子と、前記スリット端子に電気的に接続され、断線ペグ，試験プラグ等を挿入して通信回線の切離し又は試験等を行うバネ部を有する試験弾器ユニットとを有し、前記試験弾器ユニットを保護するフレーム部は、前記バネ部の開口変位位置を所定の位置までに制限するためのリブを備えることにより上記課題を解決する。【選択図】  図２
0003102938.tif 000002
【実用新案登録請求の範囲】
【請求項１】
通信回線から侵入してくる過電圧・過電流が通信機器に流入することを防止する保安器サブモジュールにおいて、
入回線接続用端子として用いられ並列された複数のスリット端子と、
前記スリット端子を保持するスリットハウジングと、
前記スリット端子に対して電気的に接続された保安素子と、
前記スリット端子に電気的に接続され、断線ペグ，試験プラグ等を挿入して通信回線の切離し又は試験等を行うバネ部を有する試験弾器ユニットとを有し、
前記試験弾器ユニットを保護するフレーム部は、前記バネ部の開口変位位置を所定の位置までに制限するためのリブを備えることを特徴とする保安器サブモジュール。
【請求項２】
通信回線から侵入してくる過電圧・過電流が通信機器に流入することを防止する保安器サブモジュールにおいて、
入回線接続用端子として用いられ並列された複数のスリット端子と、
前記スリット端子を保持するスリットハウジングと、
前記スリット端子に対して電気的に接続された保安素子と、
前記スリット端子に電気的に接続され、断線ペグ，試験プラグ等を挿入して通信回線の切離し又は試験等を行うバネ部を有する試験弾器ユニットとを有し、
前記スリットハウジングは、前記スリット端子の舌片部の開口変位位置を所定の位置までに制限するためのリブを備えることを特徴とする保安器サブモジュール。
【請求項３】
請求項１又は請求項２に記載の保安器サブモジュールを用いた通信機器用保安器。
【考案の詳細な説明】
【技術分野】
【０００１】
本考案は、保安器サブモジュール及びこれを用いた通信機器用保安器に関し、特に、多くの通信回線を収容することができると共に、寸法の増大を最小限に抑制することのできる保安器サブモジュール及びこれを用いた通信機器用保安器に関する。
【背景技術】
【０００２】
従来、通信回線から侵入してくる過電圧・過電流が通信機器に流入することを防止するために、電話局内等に通信機器用保安器が設置されている。この通信機器用保安器は、保安器サブモジュールを多段積みにして組立てたものである。
【０００３】
図１は、従来における保安器サブモジュール１０の正面図とその各側面図の一例を示す図である。図１に示すように、１１はプリント配線板、１２は入回線接続用端子として用いられるスリット端子であり、プリント配線板１１に半田付けされ、ジャンパ線により通線口ユニット１３を通して入回線として接続されるものである。
【０００４】
また、１４，１５はフレーム、１６は交換機側へ接続される交換機側コネクタ、１７は保安素子、１８は試験弾器ユニットである。また、通線口ユニット１３は、二枚のプリント基板１１の間に挟み込んだ状態で取り付けられている。また、１９は、８回線の各々に対応して並列された複数のダブルＵスリット端子を保持するためのダブルＵスリットハウジングである。つまり、図１に示すこの保安器サブモジュール１０は、８回線の通信回線の接続が可能である。
【考案の開示】
【考案が解決しようとする課題】
【０００５】
ところで、最近では通信回線の増加に伴い、小型化に対応する要請が年々高まる傾向にある。しかしながら、電話局に設置されている通信機器用保安器は、ＭＤＦ（Ｍａｉｎ  Ｄｉｓｔｒｉｂｕｔｉｏｎ  Ｆｒａｍｅ）への取付寸法が決まっているため、従来の保安器サブモジュールでは、通信回線の数を増やすことができないという問題があった。
【０００６】
例えば、通信回線の数を従来より２倍の数に増やそうとした場合、ダブルＵスリット部分や試験弾器部分のサイズも２倍になり、全体の寸法を可能な限り小さくしたいという要請に応えることができない。
【０００７】
本考案は、上述した問題点に鑑みなされたものであり、多くの通信回線を収容することができると共に、寸法の増大を最小限に抑制することのできる高密度な保安器サブモジュール及びこれを用いた通信機器用保安器を提供することを目的とする。
【課題を解決するための手段】
【０００８】
上記課題を解決するために、本件考案は、以下の特徴を有する課題を解決するための手段を採用している。
【０００９】
請求項１に記載された考案は、通信回線から侵入してくる過電圧・過電流が通信機器に流入することを防止する保安器サブモジュールにおいて、入回線接続用端子として用いられ並列された複数のスリット端子（シングルＵスリット端子、ダブルＵスリット端子等）と、前記スリット端子を保持するスリットハウジングと、前記スリット端子に対して電気的に接続された保安素子と、前記スリット端子に電気的に接続され、断線ペグ，試験プラグ等を挿入して通信回線の切離し又は試験等を行うバネ部を有する試験弾器ユニットとを有し、前記試験弾器ユニットを保護するフレーム部は、前記バネ部の開口変位位置を所定の位置までに制限するためのリブを備えることを特徴とする。
【００１０】
請求項１記載の考案によれば、バネ部が必要以上に開くことがなくバネ性のヘタリを防止することができる。これにより、多くの通信回線を収容することができると共に、寸法の増大を最小限に抑制することのできる保安器サブモジュールを提供することができる。
【００１１】
請求項２に記載された考案は、通信回線から侵入してくる過電圧・過電流が通信機器に流入することを防止する保安器サブモジュールにおいて、入回線接続用端子として用いられ並列された複数のスリット端子と、前記スリット端子を保持するスリットハウジングと、前記スリット端子に対して電気的に接続された保安素子と、前記スリット端子に電気的に接続され、断線ペグ，試験プラグ等を挿入して通信回線の切離し又は試験等を行うバネ部を有する試験弾器ユニットとを有し、前記スリットハウジングは、前記スリット端子の舌片部の開口変位位置を所定の位置までに制限するためのリブを備えることを特徴とする。
【００１２】
請求項２記載の考案によれば、スリット端子の舌片部が必要以上に開くことを防止し舌片部のバネ性のヘタリを防止することができる。これにより、多くの通信回線を収容することができると共に、寸法の増大を最小限に抑制することのできる保安器サブモジュールを提供することができる。
【００１３】
請求項３に記載された考案は、請求項１又は請求項２に記載の保安器サブモジュールを用いた通信機器用保安器である。
【００１４】
請求項３記載の考案によれば、より多くの回線を収容することができる。
【考案の効果】
【００１５】
本考案によれば、多くの通信回線を収容することができると共に、寸法の増大を最小限に抑制することのできる保安器サブモジュール及びこれを用いた通信機器用保安器を提供することができる。
【考案を実施するための最良の形態】
【００１６】
次に、本考案における実施の形態について図を用いて説明する。図２は、本考案における保安器サブモジュール２０の正面図及びその各側面図の一例を示す図である。図２に示すように、２１はプリント配線板、２２は入回線接続用端子として用いられるスリット端子であり、プリント配線板２１に半田付けされ、ジャンパ線により通線口ユニット２３を通して入回線として接続されるものである。なお、図２では、ダブルＵスリット端子が形成されているが、シングルＵスリット端子等でもよい。
【００１７】
また、２４，２５はフレーム、２６は交換機側へ接続される交換機側コネクタ、２７は保安素子、２８は試験弾器ユニットである。また、通線口ユニット２３は、二枚のプリント基板２１の間に挟み込んだ状態で取り付けられている。また、２９は、１６回線の各々に対応して並列された複数のダブルＵスリット端子を保持し、更にダブルＵスリット端子の舌片部の開口変位位置を所定の位置までに制限するためのリブを備えたダブルＵスリットハウジングである。つまり、図２に示すこの保安器サブモジュール２０は、８回線の２倍の１６回線の通信回線の接続が可能である。
【００１８】
また、交換機側コネクタ２６は、交換機からのケーブル付コネクタの各々のケーブルが同一方向に配線された場合において、ケーブルが邪魔になり交換機側コネクタ２６とケーブル付コネクタとが嵌合できないことがないよう嵌合方向に対して所定間隔だけ位置をずらし、嵌合面が階段状になるように交換機側コネクタ２６−１，２６−２が並設されている。交換機側コネクタ２６−１，２６−２の夫々が８回線あるため合わせて１６回線を可能にしている。
【００１９】
また、保安素子２７は１６個のダブルＵスリット端子２２の夫々に対応して設けられており、例えば、双方向性ｐｎｐｎサージ防護デバイス、アバランシェダイオード、酸化亜鉛バリスタ等にて構成される。また、試験弾器ユニット２８は内部にあるＴＳバネの間隔及びＴＳバネの幅を狭めて１６回線に対応している。そして、図２に示すＴＳバネの先端に対応してフレーム２４に設けられた開口部３０から断線ペグ等のペグ類を挿入することにより断線することができる。
【００２０】
また、図３は、本考案におけるシングルＵスリット端子を有する保安器サブモジュール３１の正面図及びその各側面図の一例を示す図である。図３に示す保安器サブモジュール３１は、シングルＵスリット端子３２が１６回線の各々に対応して並列されている。また、３３は、１６回線の各々に対応して並列された複数のシングルＵスリット端子を保持する。つまり、図３に示す保安器サブモジュール３１は、図２と同様に８回線の２倍の１６回線の通信回線の接続が可能である。なお、その他の構成部は図２と同様である。
【００２１】
次に、本考案におけるスリット端子及び試験弾器ユニットについて図を用いて具体的に説明する。図４は、従来のダブルＵスリット端子と本考案のダブルＵスリット端子とを比較するため図である。ここで、図４（ａ）は、従来のダブルＵスリット端子１２を示し、図４（ｂ）は、本考案におけるダブルＵスリット端子２２を示す。また、図４（ａ），図４（ｂ）の各々においてＷ１は、ダブルＵスリット端子全体の幅を示し、Ｗ２はダブルＵスリット端子の舌片部の幅を示し、Ｗ３はダブルＵスリット端子の溝部の幅を示している。図４に示すように、本考案では、従来におけるＷ１，Ｗ２の各々の間隔を狭めたＷ１’，Ｗ２’，Ｗ３の幅を有するダブルＵスリット端子を形成する。このダブルＵスリット端子２２の形成は、近年のプレス技術、金型精度の進歩により可能である。
【００２２】
また、図５は、本考案におけるダブルＵスリット端子の構成を説明するための一例の図である。ここで、通常、入回線を結線する場合、スリット端子のスリット部が芯線４１の保護する被覆部４２を剥ぐことにより結線されるが、Ｗ２の幅が狭くなったため、ダブルＵスリット端子２２の両端の舌片部が開いてしまう。そこで、図５（ｂ）に示すように、ダブルＵスリット端子２２の両端の舌片部の開口変位位置を所定の位置までに制限するため、ダブルＵスリットハウジング２９にリブ４３を設ける。これにより、ダブルＵスリット端子の両端の舌片部が必要以上に開くことを防止し舌片部のバネ性のヘタリを防止することができる。したがって、多くの通信回線を収容することができると共に、寸法の増大を最小限に抑制することのできる保安器サブモジュールを提供することができる。
【００２３】
なお、本考案では、ダブルＵスリット端子だけに限らず、例えば、シングルＵスリット端子でも同様の効果を得ることができる。
【００２４】
図６は、シングルＵスリット端子の場合における本考案を適用させた図である。図６に示すように、シングルＵスリット端子４４においても図５（ｂ）と同様に舌片部の開口変位位置を所定の位置までに制限するため、シングルＵスリットハウジング３３にリブ４５を設ける。これにより、シングルＵスリット端子の両端の舌片部が必要以上に開くことを防止し舌片部のバネ性のヘタリを防止することができる。したがって、多くの通信回線を収容することができると共に、寸法の増大を最小限に抑制することのできる保安器サブモジュールを提供することができる。
【００２５】
図７は、従来の試験弾器ユニットと本考案の試験弾器ユニットとを比較するため図である。ここで、図７（ａ）は、従来の試験弾器ユニット１８を示し、図７（ｂ）は、本考案における試験弾器ユニット２８を示している。また、図７（ａ），図７（ｂ）において右側の図をＡ方向から見た図が左側の図となる。
【００２６】
図７に示すように、試験弾器ユニットにおいて、通常ＴＳバネ５１（５１−１、５１−２）が対になって接していることにより電気的に導通状態となっている。また、ＴＳバネ５１−１，５１−２はＴＳベース５２−１，５２−２により固定され、更に対となるＴＳバネの各々が別の端子５３と電気的に導通するように接続されている。また、図７では、一対のＴＳバネの片側を２個用いて１つの端子に接続されている。
【００２７】
ここで、図７（ａ）に示す２個のＴＳバネの幅をＷ４とし、一対のＴＳバネの幅をＷ５とすると、図７（ｂ）に示すように、Ｗ４，Ｗ５の幅を何れもが従来より狭めた幅Ｗ４’，Ｗ５’となるよう形成することにより、試験弾器ユニット全体を小型化し、１６回線を実現することができる。なお、このＴＳバネ５１−２の形成は、近年のプレス技術、金型精度の進歩により可能である。
【００２８】
図８は、本考案における試験弾器ユニットの構成を説明するための一例の図である。図８（ａ）に示すように、本考案における試験弾器ユニットでは、ＴＳバネ５１−２の幅Ｗ５’を狭めたために、例えば、断線ペグをフレーム２４の開口部３０に対して斜めに入れた場合等は、必要以上にＴＳバネ５１−２が開いてバネに撓みが生じてしまう。このため、断線ペグ６１を抜いた状態でもＴＳバネが元の位置に戻らず対となるバネ同士が接しない状態となってしまう。そこで、図８（ｂ）に示すように、ＴＳバネの開口変位位置を所定の位置までに制限するために、フレーム２４にリブ６２を設ける。これにより、ＴＳバネが必要以上に開くことがなくバネ性のヘタリを防止することができる。したがって、多くの通信回線を収容することができると共に、寸法の増大を最小限に抑制することのできる保安器サブモジュールを提供することができる。
【００２９】
なお、上述した本考案におけるスリット端子及び試験弾器ユニットについては、何れか１つが保安器サブモジュールに備えられていることで多くの通信回線を収容することができると共に、寸法の増大を最小限に抑制することのできる。また、本考案におけるスリット端子及び試験弾器ユニットをどちらも備える保安器サブモジュールにおいても同様の効果を得ることができる。
【００３０】
更に、上述した本考案における保安器サブモジュールを多段に組立てて、通信機器用保安器を形成することにより、より小型化された通信機器用保安器を提供することができ、より多くの回線を収容することができる。
【００３１】
ここで、上述した通信機器用保安器について図を用いて説明する。図９は、本考案における通信機器用保安器の組立て斜視図である。図９に示すように、本考案における保安器サブモジュール７１を１２個段積みにして、ＭＴＧ（ＭＯＵＮＴＩＮＧ）７２、サイドプレート７３、フロントストッパ７４、整線板７５、インデックスホルダ７６を取付け組立てて、１９２回線収容の通信機器用保安器７０を形成する。また、上述の通信機器用保安器は、ＭＤＦ取付ネジ７７によりＭＤＦに設置され使用される。
【００３２】
なお、図９に示す通信機器用保安器７０では、本考案の保安器サブモジュールを１２個段積みにしているが、本考案における段数はこの限りではなく、例えば、本考案の保安器サブモジュールを１６個段積みにすることにより２５６回線の収容を可能にする。
【００３３】
上述したように、本考案によれば、従来より多くの通信回線を収容することができると共に、寸法の増大を最小限に抑制することのできる高密度な保安器サブモジュールを提供することができる。また、保安器サブモジュールを段積みにした通信機器用保安器を形成することにより、より多くの回線を収容することができる。
【００３４】
以上、本考案の好ましい実施例について詳述したが、本考案は係る特定の実施形態に限定されるものではなく、特許請求の範囲に記載された本考案の要旨の範囲内において、種々の変形、変更が可能である。
【図面の簡単な説明】
【００３５】
【図１】従来における保安器サブモジュール１０の正面図とその側面図の一例を示す図である。
【図２】本考案における保安器サブモジュール２０の正面図及びその各側面図の一例を示す図である。
【図３】本考案におけるシングルＵスリット端子を有する保安器サブモジュール３１の正面図及びその各側面図の一例を示す図である。
【図４】従来のダブルＵスリットと本考案のダブルＵスリットとを比較するため図である。
【図５】本考案におけるダブルＵスリットの構成を説明するための一例の図である。
【図６】シングルＵスリット端子の場合における本考案を適用させた図である。
【図７】従来の試験弾器ユニットと本考案の試験弾器ユニットとを比較するため図である。
【図８】本考案における試験弾器ユニットの構成を説明するための一例の図である。
【図９】本考案における通信機器用保安器の組立て斜視図である。
【符号の説明】
【００３６】
１０，２０，３１，７１  保安器サブモジュール
１１，２１  プリント配線板
１２，２２  ダブルＵスリット端子
１３，２３  通線口ユニット
１４，１５，２４，２５  フレーム
１６，２６  交換機側コネクタ
１７，２７  保安素子
１８，２８  試験弾器ユニット
１９，２９  ダブルＵスリットハウジング
３０  開口部
３２，４４  シングルＵスリット端子
３３  シングルＵスリットハウジング
４１  芯線
４２  被覆部
４３，４５，６２  リブ
４４  シングルＵスリット
５１  ＴＳバネ
５２  ＴＳベース
５３  端子
６１  断線ペグ
７０  通信機器用保安器
７２  ＭＴＧ（ＭＯＵＮＴＩＮＧ）
７３  サイドプレート
７４  フロントストッパ
７５  整線板
７６  インデックスホルダ
７７  ＭＤＦ取付ネジ
【図１】
0003102938.tif 000003
【図２】
0003102938.tif 000004
【図３】
0003102938.tif 000005
【図４】
0003102938.tif 000006
【図５】
0003102938.tif 000007
【図６】
0003102938.tif 000008
【図７】
0003102938.tif 000009
【図８】
0003102938.tif 000010
【図９】
0003102938.tif 000011